(57)【要約】【課題】天板付家具に付随するパネルにオプション品を取り付けるにあたり、その取付位置に対する制限を緩和する。【解決手段】天板付家具に付随しその天板の上面よりも高位置まで起立するパネル２の上端部にオプション品３を支持させる構造であって、前記パネル２の上端部に、上方に開口した凹部２２が形成され、前記オプション品３に、挿入片３２を有しこの挿入片３２が前記凹部２２内に挿入されることで前記パネル２に掛け止められる掛止体３１が設けられているオプション品３の取付構造を構成した。【選択図】図４
2019058366.tif 000002
【特許請求の範囲】
【請求項１】
天板付家具に付随しその天板の上面よりも高位置まで起立するパネルの上端部にオプション品を支持させる構造であって、
前記パネルの上端部に、上方に開口した凹部が形成され、
前記オプション品に、挿入片を有しこの挿入片が前記凹部内に挿入されることで前記パネルに掛け止められる掛止体が設けられているオプション品の取付構造。
【請求項２】
前記パネルの厚み方向に沿った前記凹部の内寸が、前記挿入片の同厚み方向に沿った外寸の約二倍となっているかそれよりも大きい請求項１記載のオプション品の取付構造。
【請求項３】
前記パネルの上端部に、当該パネルの表面または裏面に向かうにつれて下ってゆくように傾斜した傾斜面が設けられており、
前記掛止体が、前記傾斜面に上方から当接する当接面を有している請求項１または２記載のオプション品の取付構造。
【請求項４】
前記オプション品が、カードを保持することのできるカードホルダ、マグネットを吸着して付けることのできるマグネット吸着体、または書類、冊子若しくは薄型のファイルを保持することのできる書類入れである請求項１、２または３記載のオプション品の取付構造。
【発明の詳細な説明】
【技術分野】
【０００１】
本発明は、天板付家具に付随するパネルにオプション品を取り付ける構造に関する。
【背景技術】
【０００２】
天板付家具に付随するデスクトップパネルやサイドパネル、エンドパネルにオプション品を取り付けるに際しては、従来、下向きに開口するコ字形（Π字形）の装着具やクリップ、またはクランプを使用し、これらによりパネルの上端部を表裏から挟み付けるように（換言すれば、パネルの表裏両面に跨ってパネルの上端部をくわえ込むように）して、オプション品をパネルに固定していた（例えば、下記特許文献１及び非特許文献１（フック型クリップ）を参照）。
【０００３】
このような取付構造を採用する場合、パネルの表側と裏側との双方にオプション品を取り付けるためには、表側のオプション品の取付位置と裏側のオプション品の取付位置とをパネルの幅方向に沿ってずらす必要がある。即ち、パネルの面の法線方向から見て重なり合う位置に双方のオプション品を取り付けることが物理的に困難であった。
【先行技術文献】
【特許文献】
【０００４】
【特許文献１】実開昭５６−０６３３２８号公報
【非特許文献】
【０００５】
【非特許文献１】“林製作所  デスクトップパネル（アクリル）幅１０００ｍｍ用  １枚”  ［ｏｎｌｉｎｅ］  ［平成２９年９月２０日検索］、インターネット＜ＵＲＬ：http://www.askul.co.jp/p/2840994/＞
【発明の概要】
【発明が解決しようとする課題】
【０００６】
本発明は、天板付家具に付随するパネルにオプション品を取り付けるにあたり、その取付位置に対する制限を緩和することを所期の目的としている。
【課題を解決するための手段】
【０００７】
本発明は、天板付家具に付随しその天板の上面よりも高位置まで起立するパネルの上端部にオプション品を支持させる構造であって、前記パネルの上端部に、上方に開口した凹部が形成され、前記オプション品に、挿入片を有しこの挿入片が前記凹部内に挿入されることで前記パネルに掛け止められる掛止体が設けられているオプション品の取付構造である。
【０００８】
パネルの表裏両面に好適にオプション品を好適に取り付けられるようにするためには、前記パネルの厚み方向に沿った前記凹部の内寸を、前記挿入片の同厚み方向に沿った外寸の約二倍またはそれよりも幾分大きく設定することが好ましい。
【０００９】
前記パネルの上端部に、当該パネルの表面または裏面に向かうにつれて下ってゆくように傾斜した傾斜面が設けられており、前記掛止体が、前記傾斜面に上方から当接する当接面を有しているならば、パネル及びその凹部、掛止体の寸法の精度が顕著に高くなくとも、パネルに対して円滑にオプション品を付け外しすることが可能となり、またパネルに取り付けたオプション品ががたつきにくく（または、ぐらつきにくく）なる。
【００１０】
前記オプション品の具体例としては、カードを保持することのできるカードホルダ、マグネットを吸着して付けることのできるマグネット吸着体、書類、冊子若しくは薄型のファイルを保持することのできる書類入れ等を挙げることができる。
【発明の効果】
【００１１】
本発明によれば、天板付家具に付随するパネルにオプション品を取り付けるにあたり、その取付位置に対する制限を緩和することができる。
【図面の簡単な説明】
【００１２】
【図１】本発明の一実施形態の天板付家具、パネル及びオプション品を示す斜視図。
【図２】同実施形態のパネル及びオプション品を示す分解斜視図。
【図３】同実施形態のパネル及びオプション品を示す要部を拡大した平面図。
【図４】同実施形態のパネル及びオプション品を示す要部を拡大した縦断面図。
【発明を実施するための形態】
【００１３】
本発明の一実施形態を、図面を参照して説明する。図１に、パネル２が付随する天板付家具１の例を示している。この天板付家具１は、オフィス等において使用される執務用のデスクであり、脚１２に支持させた天板１１を備えている。そして、天板１１の反使用端側の縁部や側方の縁部に、デスクトップパネル２、サイドパネル２またはエンドパネル２等を設立している。このパネル２は、天板付家具１の天板１１の上面よりも高位置まで起立し、デスク１の前に着席して執務を行う各人が使用する区画と区画との間を仕切る。換言すれば、パネル２の表側及び裏側がそれぞれ各使用者に面している。
【００１４】
パネル２には、任意のオプション品３を取り付けることができる。オプション品３の具体例としては、カードを保持することのできるカードホルダ３ａ、マグネットを吸着して付けることのできるマグネット吸着体（マグネットバー）３ｂ、書類、冊子若しくは薄型のファイルを保持することのできる書類入れ（書類ソーター）３ｃ、天板１１上を照明するデスクライト（タスクライト）、小物類を引っ掛けておくことのできるフック、等々を挙げることができる。カードホルダ３ａは、人の氏名が記載されたカードまたは名刺を保持して表示可能なネームプレート、または名刺入れであることがある。マグネット吸着体３ｂは、鉄や鋼その他の強磁性体を素材として作製されたプレート、ボード、バーまたはフレームであり、当該マグネット吸着体３ｂとこれに付着させたマグネットとの間に用紙類を挟んで吊った状態に支持させることができる。
【００１５】
図１ないし図４に示すように、パネル２の上端部には、上方に開口する凹部である凹溝２２が存在する。図３及び図４に示しているように、本実施形態では、表側の面板２１と裏側の面板２１との間にスペーサ２４を介在させた状態でこれらを一体的に結合することにより、パネル２を構成するとともに、パネル２の上端部に凹溝２２を形成している。因みに、各面材２１はそれぞれ、凹溝２２の内壁面となる部位を含め、予め張地で被覆されている。凹溝２２は、パネル２が拡張する幅方向に沿って延伸する。凹溝２２の幅、即ちパネル２の厚み方向（パネル２の幅方向と直交する方向）に沿った内寸は、例えば約３．５ｍｍに設定する。
【００１６】
また、パネル２の表側の面板２１及び裏側の面板２１のそれぞれの上端部に、傾斜面２３を成形している。傾斜面２３は、パネル２の表面または裏面に向かうにつれて下ってゆくように傾斜している。
【００１７】
一方で、各オプション品３には、これをパネル２の上端部に掛け止めるための掛止体３１を設けている。図２ないし図４に示すように、掛止体３１は、下方に突き出すとともに幅方向に沿って拡張した挿入片３２と、挿入片３２の上縁からパネル２の面板２１の向く法線方向に屈曲した連結部３３と、連結部３３の前縁から斜め下方に進出する基部３４とを有している。挿入片３２は、パネル２の上端部の凹溝２３に差し入る部位である。挿入片３２の厚み、即ちパネル２の厚み方向に沿った外寸は、凹溝２２の幅の約半分、またはそれよりも幾分小さい。
【００１８】
基部３４の傾きは、パネル２の上端部の傾斜面２３の傾きに略等しい。並びに、挿入片３２と基部３４との離間距離は、パネル２における凹溝２２の内壁面と傾斜面２３との離間距離に略等しい。
【００１９】
パネル２にオプション品３を取り付けるにあたっては、図３及び図４に示しているように、オプション品３の掛止体３１の挿入片３２を、パネル２の上端部の凹溝２２に上方から挿入すればよい。このとき、掛止体３１の基部３４の後背面３５がパネル２の傾斜面２２に当接して、挿入片３２と基部３４とでパネル２の面板２１の上端部を挟む形となる。パネル２に対するオプション品３の取付位置は、パネル２の幅方向に沿って自由に変更することができる。
【００２０】
本実施形態では、天板付家具１に付随しその天板１１の上面よりも高位置まで起立するパネル２の上端部にオプション品３を支持させる構造であって、前記パネル２の上端部に、上方に開口した凹部２２が形成され、前記オプション品３に、挿入片３２を有しこの挿入片３２が前記凹部２２内に挿入されることで前記パネル２に掛け止められる掛止体３１が設けられているオプション品３の取付構造を構成した。本実施形態によれば、パネル２に対する各オプション品３の取付位置に対する制約が緩和され、パネル２の表側及び裏側にそれぞれ任意のオプション品３を容易に取り付けることができる。
【００２１】
前記パネル２の厚み方向に沿った前記凹部２２の内寸は、前記挿入片３２の同厚み方向に沿った外寸の約二倍、またはそれよりも幾分大きい。従って、図３及び図４に示すように、パネル２の表側に取り付けるべきオプション品３の掛止体３１の挿入片３２と、パネル２の裏側に取り付けるべきオプション品３のそれとを、同時に凹部２２に挿入し得る。このため、パネル２の面の法線方向から見て重なり合う位置に、双方のオプション品３を取り付けることが可能となっている。
【００２２】
加えて、前記パネル２の上端部に、当該パネル２の表面または裏面に向かうにつれて下ってゆくように傾斜した傾斜面２３が設けられており、前記掛止体３１が、前記傾斜面２２に上方から当接する当接面３５を有していることから、パネル２及びその凹部２２、掛止体３１の寸法の精度が顕著に高くなくとも、パネル２に対して円滑にオプション品３を付け外しすることができ、パネル２に取り付けたオプション品３ががたつきにくい（ぐらつきにくい）。
【００２３】
なお、本発明は以上に詳述した実施形態に限られるものではない。例えば、上記実施形態では、パネル２の上端部に形成する凹部が、パネル２の拡張する幅方向に沿って連続的に延伸する凹溝２２となっていたが、パネル２の上端部にその幅方向に沿って断続的または間欠的に複数ないし多数の凹部を形成しておき、その何れかの凹部にオプション品３の掛止体３１の挿入片３２を挿入する構造としても構わない。
【００２４】
その他、各部の具体的構成は、本発明の趣旨を逸脱しない範囲で種々変形が可能である。
【産業上の利用可能性】
【００２５】
本発明は、天板付家具に付随するパネルにオプション品を取り付ける構造として利用できる。
【符号の説明】
【００２６】
１…天板付家具
１１…天板
２…パネル
２２…凹部（凹溝）
２３…傾斜面
３…オプション品
３１…掛止体
３２…挿入片
３５…当接面（基部の後背面）
【図１】
2019058366.tif 000003
【図２】
2019058366.tif 000004
【図３】
2019058366.tif 000005
【図４】
2019058366.tif 000006